(57)【要約】    【課題】光分波分岐器の構造を簡易にし、経済化を図るとともに、光ファイバテープのマルチモード光ファイバあるいはプラスチック光ファイバ内を伝送する光信号のモード間の強度を均一化し、モード間遅延の影響を抑制し、伝送帯域の向上を図ること。    【解決手段】シングルモード光ファイバ２からの波長λ1〜λNの光信号をＭ個に分岐する光カプラ３４と、該光カプラ３４からの各々波長λ1〜λNの光信号を含むＭ個の光信号を、共通に使用する共有グレーティングにより異なる波長λ1〜λNの光信号に分波して光ファイバテープ４−１〜４−ＭのＮ本のマルチモード光ファイバの一端にそれぞれ入射する波長分離分配部３５とからなる光分波分岐器３０を用いるとともに、光ファイバテープ４−１〜４−ＭのＮ本のマルチモード光ファイバにおけるコアの中心より伝送帯域が広がる程度ずれた位置で透過するような波長の光信号を光送信器１０から送信する。【選択図】図１
2005328465.tif 000002
【特許請求の範囲】
【請求項１】
波長λ1〜λNの光信号を送信する光送信器と、該光送信器から１本のシングルモード光ファイバを介して送信された波長λ1〜λNの光信号を波長毎に分波するとともにそれぞれＭ個に分岐し、該分岐したＭ個の波長λ1〜λNの光信号を、各組がＮ本のマルチモード光ファイバあるいはプラスチック光ファイバを含むＭ組の光ファイバテープの一端にそれぞれ出力する光分波分岐器と、Ｍ組の光ファイバテープの他端にそれぞれ接続されるＭ台の光受信器とからなる光通信システムにおいて、
前記１本のシングルモード光ファイバからの波長λ1〜λNの光信号をＭ個に分岐する光カプラと、該光カプラからの各々波長λ1〜λNの光信号を含むＭ個の光信号を、共通に使用する共有グレーティングにより異なる波長λ1〜λNの光信号に分波して前記Ｍ組の光ファイバテープのＮ本のマルチモード光ファイバあるいはプラスチック光ファイバの一端にそれぞれ入射する波長分離分配部とからなる光分波分岐器を具備し、
前記Ｍ組の光ファイバテープのＮ本のマルチモード光ファイバあるいはプラスチック光ファイバにおけるコアの中心より伝送帯域が広がる程度ずれた位置で透過するような波長の光信号を送信する光送信器を具備した
ことを特徴とする光通信システム。
【請求項２】
波長λ1〜λNの光信号を送信する光送信器と、該光送信器から１本のシングルモード光ファイバを介して送信された波長λ1〜λNの光信号を波長毎に分波するとともにそれぞれＭ個に分岐し、該分岐したＭ個の波長λ1〜λNの光信号を、各組がＮ本のマルチモード光ファイバあるいはプラスチック光ファイバを含むＭ組の光ファイバテープの一端にそれぞれ出力する光分波分岐器と、Ｍ組の光ファイバテープの他端にそれぞれ接続されるＭ台の光受信器とからなる光通信システムにおいて、
前記１本のシングルモード光ファイバからの波長λ1〜λNの光信号をＭ個に分岐する光カプラと、該光カプラからの各々波長λ1〜λNの光信号を含むＭ個の光信号を、共通に使用する共有グレーティングにより異なる波長λ1〜λNの光信号に分波して前記Ｍ組の光ファイバテープのＮ本のマルチモード光ファイバあるいはプラスチック光ファイバの一端にそれぞれ入射する波長分離分配部とからなる光分波分岐器を具備し、
さらに、前記光送信器からの波長λ1〜λNの光信号が、前記Ｍ組の光ファイバテープのＮ本のマルチモード光ファイバあるいはプラスチック光ファイバにおけるコアの中心より伝送帯域が広がる程度ずれた位置を透過するよう、前記波長分離分配部における前記Ｍ組の光ファイバテープの一端を配置した
ことを特徴とする光通信システム。
【発明の詳細な説明】
【技術分野】
【０００１】
本発明は、光アクセスシステムに利用可能な光分波分岐機能付きの光通信システムに関する。
【背景技術】
【０００２】
図６は従来の光分波分岐機能を有する光通信システムの一例（非特許文献１参照）を示すもので、波長λ1，λ2，…λNの光信号を送信する光送信器１と、１本のシングルモード光ファイバ２を介して光送信器１に接続される光分波分岐器３と、各組がＮ本のマルチモード光ファイバあるいはプラスチック光ファイバを含むＭ組の光ファイバテープ４−１，４−２，…４−Ｍを介して光分波分岐器３に接続されるＭ台の光受信器５−１，５−２，…５−Ｍとからなっている。
【０００３】
光分波分岐器３は、光送信器１からの波長λ1，λ2，…λNの光信号を波長毎に分波する波長分離器３１と、該波長分離器３１で分波された波長λ1，λ2，…λNの光信号をそれぞれＭ個に分岐する光カプラ３２−１，３２−２，…３２−Ｎと、一端が光カプラ３２−１，３２−２，…３２−Ｎにそれぞれ接続されたシングルモード光ファイバ３３−１−１，３３−１−２，…３３−１−Ｍ，３３−２−１，３３−２−２，…３３−２−Ｍ，３３−Ｎ−１，３３−Ｎ−２，…３３−Ｎ−Ｍとで構成される。
【０００４】
また、光ファイバテープ４−１はＮ本のマルチモード光ファイバあるいはプラスチック光ファイバ４−１−１，４−１−２，…４−１−Ｎで構成され、光ファイバテープ４−２はＮ本のマルチモード光ファイバあるいはプラスチック光ファイバ４−２−１，４−２−２，…４−２−Ｎで構成され、…、光ファイバテープ４−ＭはＮ本のマルチモード光ファイバあるいはプラスチック光ファイバ４−Ｍ−１，４−Ｍ−２，…４−Ｍ−Ｎで構成される。
【０００５】
ここで、一端が光カプラ３２−１に接続されたシングルモード光ファイバ３３−１−１，３３−１−２，…３３−１−Ｍの他端は、光ファイバテープ４−１，４−２，…４−Ｍのうちの１本のマルチモード光ファイバあるいはプラスチック光ファイバ４−１−１，４−２−１，…４−Ｍ−１に接続され、一端が光カプラ３２−２に接続されたシングルモード光ファイバ３３−２−１，３３−２−２，…３３−２−Ｍの他端は、光ファイバテープ４−１，４−２，…４−Ｍのうちの１本のマルチモード光ファイバあるいはプラスチック光ファイバ４−１−２，４−２−２，…４−Ｍ−２に接続され、…、一端が光カプラ３２−Ｎに接続されたシングルモード光ファイバ３３−Ｎ−１，３３−Ｎ−２，…３３−Ｎ−Ｍの他端は、光ファイバテープ４−１，４−２，…４−Ｍのうちの１本のマルチモード光ファイバあるいはプラスチック光ファイバ４−１−Ｎ，４−２−Ｎ，…４−Ｍ−Ｎに接続される。
【０００６】
これによって、Ｍ組の光ファイバテープ４−１，４−２，…４−Ｍの各マルチモード光ファイバあるいはプラスチック光ファイバにはそれぞれ、光カプラ３２−１，３２−２，…３２−Ｎから異なる波長の光信号が伝送される。例えば光ファイバテープ４−１において、マルチモード光ファイバあるいはプラスチック光ファイバ４−１−１には波長λ1の光信号、マルチモード光ファイバあるいはプラスチック光ファイバ４−１−２には波長λ2の光信号、…マルチモード光ファイバあるいはプラスチック光ファイバ４−１−Ｎには波長λNの光信号がそれぞれ伝送され、また、光ファイバテープ４−２において、マルチモード光ファイバあるいはプラスチック光ファイバ４−２−１には波長λ1の光信号、マルチモード光ファイバあるいはプラスチック光ファイバ４−２−２には波長λ2の光信号、…マルチモード光ファイバあるいはプラスチック光ファイバ４−２−Ｎには波長λNの光信号がそれぞれ伝送される。
【０００７】
また、前述したシングルモード光ファイバとマルチモード光ファイバあるいはプラスチック光ファイバとの接続は、それぞれのコアの中心を一致させて行われる。
【非特許文献１】友信公孝、桑野  茂、上松  仁「大容量コンテンツ配信のためのアクセスネットワークについて」２００２年電子情報通信学会全国大会論文集Ｂ−１０−７０
【発明の開示】
【発明が解決しようとする課題】
【０００８】
しかし、前述した従来の光通信システムでは、波長分離及び光分岐を行うためにそれぞれ別の光部品を使用していたため、部品点数が多くなり、光分波分岐器のコストが高くなってしまうという問題があった。また、波長数が増えるにつれ、光カプラで分岐した光信号を各光ファイバテープの各マルチモード光ファイバあるいはプラスチック光ファイバに接続するための光配線が複雑になってしまうという問題があった。
【０００９】
更に、光カプラからのシングルモード光ファイバと光ファイバテープのマルチモード光ファイバあるいはプラスチック光ファイバとは、それぞれのコアの中心を一致させて接続していたため、マルチモード光ファイバあるいはプラスチック光ファイバ内を伝送する光信号はコア中心付近を伝搬する低次モードの光信号が大部分となる。低次モードの光信号は高次モードの光信号に比べ早く伝搬しすぎるため、低次モードと高次モードで強度が不均一であると、モード間遅延の影響でパルス広がりが大きくなり、伝送帯域が制限されてしまうという問題があった。
【００１０】
本発明はこのような背景で行われたもので、光分波分岐器の構造を簡易にし、経済化を図るとともに、光ファイバテープのマルチモード光ファイバあるいはプラスチック光ファイバ内を伝送する光信号のモード間の強度を均一化し、モード間遅延の影響を抑制し、伝送帯域の向上を図ることを目的とする。
【課題を解決するための手段】
【００１１】
本発明の第１の観点は、前記目的を達成するために、分岐された光信号の全てで共通に使用する共有グレーティングを用いて光分波分岐機能を実現し、かつマルチモード光ファイバあるいはプラスチック光ファイバ内を伝送する光信号のモード間の強度を均一化するために、マルチモード光ファイバあるいはプラスチック光ファイバのコアの中心より伝送帯域が広がる程度ずれた位置で透過するような波長の光信号を送信する光送信器を具備した光通信システムとしたことである。
【００１２】
即ち、波長λ1〜λNの光信号を送信する光送信器と、該光送信器から１本のシングルモード光ファイバを介して送信された波長λ1〜λNの光信号を波長毎に分波するとともにそれぞれＭ個に分岐し、該分岐したＭ個の波長λ1〜λNの光信号を、各組がＮ本のマルチモード光ファイバあるいはプラスチック光ファイバを含むＭ組の光ファイバテープの一端にそれぞれ出力する光分波分岐器と、Ｍ組の光ファイバテープの他端にそれぞれ接続されるＭ台の光受信器とからなる光通信システムにおいて、前記１本のシングルモード光ファイバからの波長λ1〜λNの光信号をＭ個に分岐する光カプラと、該光カプラからの各々波長λ1〜λNの光信号を含むＭ個の光信号を、共通に使用する共有グレーティングにより異なる波長λ1〜λNの光信号に分波して前記Ｍ組の光ファイバテープのＮ本のマルチモード光ファイバあるいはプラスチック光ファイバの一端にそれぞれ入射する波長分離分配部とからなる光分波分岐器を具備し、前記Ｍ組の光ファイバテープのＮ本のマルチモード光ファイバあるいはプラスチック光ファイバにおけるコアの中心より伝送帯域が広がる程度ずれた位置で透過するような波長の光信号を送信する光送信器を具備したことを特徴とする光通信システムとしたことである。
【００１３】
このように構成されることにより、１つの光カプラと１つの共有グレーティングで分波分岐機能を実現できるため、光カプラの数を減らすことができ、安価に光分波分岐器を実現できる。また、共有グレーティングからのグレーティング光を直接光ファイバテープの各マルチモード光ファイバあるいはプラスチック光ファイバに入射するので、複雑な光配線が不要となり、設計が容易となる。更には、マルチモード光ファイバあるいはプラスチック光ファイバ内を伝送する光信号のモード間の強度を均一化し、モード間遅延の影響を抑制し、伝送帯域の向上を図ることができる。
【００１４】
本発明の第２の観点は、前記目的を達成するために、分岐された光信号の全てで共通に使用する共有グレーティングを用いて光分波分岐機能を実現し、かつマルチモード光ファイバあるいはプラスチック光ファイバ内を伝送する光信号のモード間の強度を均一化するために、マルチモード光ファイバあるいはプラスチック光ファイバにおけるコアの中心より伝送帯域が広がる程度ずれた位置を透過するよう、波長分離分配部における光ファイバテープの一端を配置した光通信システムとしたことである。
【００１５】
即ち、波長λ1〜λNの光信号を送信する光送信器と、該光送信器から１本のシングルモード光ファイバを介して送信された波長λ1〜λNの光信号を波長毎に分波するとともにそれぞれＭ個に分岐し、該分岐したＭ個の波長λ1〜λNの光信号を、各組がＮ本のマルチモード光ファイバあるいはプラスチック光ファイバを含むＭ組の光ファイバテープの一端にそれぞれ出力する光分波分岐器と、Ｍ組の光ファイバテープの他端にそれぞれ接続されるＭ台の光受信器とからなる光通信システムにおいて、前記１本のシングルモード光ファイバからの波長λ1〜λNの光信号をＭ個に分岐する光カプラと、該光カプラからの各々波長λ1〜λNの光信号を含むＭ個の光信号を、共通に使用する共有グレーティングにより異なる波長λ1〜λNの光信号に分波して前記Ｍ組の光ファイバテープのＮ本のマルチモード光ファイバあるいはプラスチック光ファイバの一端にそれぞれ入射する波長分離分配部とからなる光分波分岐器を具備し、さらに、前記光送信器からの波長λ1〜λNの光信号が、前記Ｍ組の光ファイバテープのＮ本のマルチモード光ファイバあるいはプラスチック光ファイバにおけるコアの中心より伝送帯域が広がる程度ずれた位置を透過するよう、前記波長分離分配部における前記Ｍ組の光ファイバテープの一端を配置したことを特徴とする光通信システムとしたことである。
【００１６】
第１の観点との違いは、第１の観点では、光ファイバテープの位置は固定、光送信器から送信される波長を変える、であったが、第２の観点では、光送信器から送信される波長は固定、光ファイバテープの位置を変える、としている点である。
【００１７】
このように構成されることにより、１つの光カプラと１つの共有グレーティングで分波分岐機能を実現できるため、光カプラの数を減らすことができ、安価に光分波分岐器を実現できる。また、共有グレーティングからのグレーティング光を直接光ファイバテープの各マルチモード光ファイバあるいはプラスチック光ファイバに入射するので、複雑な光配線が不要となり、設計が容易となる。更には、マルチモード光ファイバあるいはプラスチック光ファイバ内を伝送する光信号のモード間の強度を均一化し、モード間遅延の影響を抑制し、伝送帯域の向上を図ることができる。
【発明の効果】
【００１８】
このように、本発明によれば、部品点数を減らした、光分波分岐器を容易に実現できる。また、グレーティングで分波された光信号を直接、光ファイバテープの各マルチモード光ファイバあるいはプラスチック光ファイバに入射するので、複雑な光配線が不要となり、設計が容易となる。更にはシングルモード光ファイバとマルチモード光ファイバあるいはプラスチック光ファイバの接続において、光信号の波長をマルチモード光ファイバあるいはプラスチック光ファイバのコアの中心から伝送帯域が広がる程度ずらす、あるいはマルチモード光ファイバあるいはプラスチック光ファイバをコアの中心から伝送帯域が広がる程度ずらして配置し、マルチモード光ファイバあるいはプラスチック光ファイバ内を伝送する光信号のモード間の強度を均一化し、モード間遅延の影響を抑制し、伝送帯域の向上を図ることができる。
【発明を実施するための最良の形態】
【００１９】
以下、本発明を実施するための最良の形態を図面を参照して説明する。
【００２０】
図１は本発明の光通信システムの第１の実施の形態を示すもので、図中、従来例と同一構成要素は同一符号をもって表す。即ち、図中、２は１本のシングルモード光ファイバ、４−１，４−２，…４−ＭはＭ組の光ファイバテープ、５−１，５−２，…５−ＭはＭ台の光受信器、１０は光送信器、３０は光分波分岐器である。
【００２１】
光分波分岐器３０は、光送信器１０からシングルモード光ファイバ２を介して送信される波長λ1，λ2，…λNの光信号をＭ個に光分岐する１個の光カプラ３４と、該光カプラ３４からの各々波長λ1，λ2，…λNの光信号を含むＭ個の光信号を、これらの各光信号が共通に使用する共有グレーティングにより異なる波長λ1，λ2，…λNの光信号に分波して光ファイバテープ４−１，４−２，…４−Ｍの各マルチモード光ファイバあるいはプラスチック光ファイバの一端にそれぞれ入射する波長分離分配部３５とを具備する。なお、３６−１，３６−２，…３６−Ｍは光カプラ３４で分岐されたＭ個の光信号を波長分離分配部３５へ伝送するＭ本のシングルモード光ファイバである。
【００２２】
また、光送信器１０は、光ファイバテープ４−１，４−２，…４−Ｍの各マルチモード光ファイバあるいはプラスチック光ファイバにおけるコアの中心より伝送帯域が広がる程度ずれた位置で透過するような波長、即ちマルチモード光ファイバあるいはプラスチック光ファイバのコアの中心を通る波長が波長λ1，λ2，…λNである場合、波長λ1＋Δλ1あるいはλ1−Δλ1，λ2＋Δλ2あるいはλ2−Δλ2，…λN＋ΔλNあるいはλN−ΔλNの光信号を送信する。
【００２３】
このように構成することにより、例えば光ファイバテープ４−１において、マルチモード光ファイバあるいはプラスチック光ファイバ４−１−１には波長λ1＋Δλ1あるいはλ1−Δλ1の光信号、マルチモード光ファイバあるいはプラスチック光ファイバ４−１−２には波長λ2＋Δλ2あるいはλ2−Δλ2の光信号、…マルチモード光ファイバあるいはプラスチック光ファイバ４−１−Ｎには波長λN＋ΔλNあるいはλN−ΔλNの光信号がそれぞれ伝送され、また、光ファイバテープ４−２において、マルチモード光ファイバあるいはプラスチック光ファイバ４−２−１には波長λ1＋Δλ1あるいはλ1−Δλ1の光信号、マルチモード光ファイバあるいはプラスチック光ファイバ４−２−２には波長λ2＋Δλ2あるいはλ2−Δλ2の光信号、…マルチモード光ファイバあるいはプラスチック光ファイバ４−２−Ｎには波長λN＋ΔλNあるいはλN−ΔλNの光信号がそれぞれ伝送される。
【００２４】
ここで、第１の実施の形態の特徴とするところは、共有グレーティングを使用してＭ組の光ファイバテープの各マルチモード光ファイバあるいはプラスチック光ファイバにそれぞれ異なる波長λ1〜λNを伝送する光通信システムとしたこと、及び光送信器からＭ組の光ファイバテープの各マルチモード光ファイバあるいはプラスチック光ファイバにおけるコアの中心より伝送帯域が広がる程度ずれた位置で透過するような波長λ1＋Δλ1あるいはλ1−Δλ1，λ2＋Δλ2あるいはλ2−Δλ2，…λN＋ΔλNあるいはλN−ΔλNの光信号を送信し、伝送帯域を向上したことである。
【００２５】
このように構成されることにより、１つの光カプラと１つの共有グレーティングで分波分岐機能を実現できるため、光カプラの数を減らすことができ、安価に光分波分岐器を実現できる。また、共有グレーティングからのグレーティング光を直接光ファイバテープの各マルチモード光ファイバあるいはプラスチック光ファイバに入射するので、複雑な光配線が不要となり、設計が容易となる。更には、マルチモード光ファイバあるいはプラスチック光ファイバ内を伝送する光信号のモード間の強度を均一化し、モード間遅延の影響を抑制し、伝送帯域の向上を図ることができる。
【００２６】
図２は本発明の光通信システムの第２の実施の形態を示すもので、図中、従来例と同一構成要素は同一符号をもって表す。即ち、図中、１は光送信器、２は１本のシングルモード光ファイバ、４−１，４−２，…４−ＭはＭ組の光ファイバテープ、５−１，５−２，…５−ＭはＭ台の光受信器、３０ｂは光分波分岐器である。
【００２７】
光分波分岐器３０ｂは、光送信器１からシングルモード光ファイバ２を介して送信される波長λ1，λ2，…λNの光信号をＭ個に光分岐する１個の光カプラ３４と、該光カプラ３４からの各々波長λ1，λ2，…λNの光信号を含むＭ個の光信号を、これらの各光信号が共通に使用する共有グレーティングにより異なる波長λ1，λ2，…λNの光信号に分波して光ファイバテープ４−１，４−２，…４−Ｍの各マルチモード光ファイバあるいはプラスチック光ファイバの一端にそれぞれ入射する波長分離分配部３５ｂとを具備する。なお、３６−１，３６−２，…３６−Ｍは光カプラ３４で分岐されたＭ個の光信号を波長分離分配部３５ｂへ伝送するＭ本のシングルモード光ファイバである。
【００２８】
さらに、波長分離分配部３５ｂは、光送信器１からの波長λ1，λ2，…λNの光信号が、光ファイバテープ４−１，４−２，…４−Ｍの各マルチモード光ファイバあるいはプラスチック光ファイバにおけるコアの中心より伝送帯域が広がる程度ずれた位置を透過するよう、光ファイバテープ４−１，４−２，…４−Ｍの一端を配置する。
【００２９】
第１の実施の形態との違いは、第１の実施の形態では、光ファイバテープの位置は固定、光送信器から送信される波長を変える、であったが、第２の実施の形態では、光送信器から送信される波長は固定、光ファイバテープの位置を変える、としている点である。
【００３０】
このように構成することにより、例えば光ファイバテープ４−１において、マルチモード光ファイバあるいはプラスチック光ファイバ４−１−１には波長λ1の光信号、マルチモード光ファイバあるいはプラスチック光ファイバ４−１−２には波長λ2の光信号、…マルチモード光ファイバあるいはプラスチック光ファイバ４−１−Ｎには波長λNの光信号がコアの中心より伝送帯域が広がる程度ずれた位置でそれぞれ伝送され、光ファイバテープ４−２において、マルチモード光ファイバあるいはプラスチック光ファイバ４−２−１には波長λ1の光信号、マルチモード光ファイバあるいはプラスチック光ファイバ４−２−２には波長λ2の光信号、…マルチモード光ファイバあるいはプラスチック光ファイバ４−２−Ｎには波長λNの光信号がコアの中心より伝送帯域が広がる程度ずれた位置でそれぞれ伝送される。
【００３１】
ここで、第２の実施の形態の特徴とするところは、共有グレーティングを使用して前記Ｍ組の光ファイバテープの各マルチモード光ファイバあるいはプラスチック光ファイバにそれぞれ異なる波長λ1〜λNを伝送する光通信システムとしたこと、及び光送信器からの光信号が、Ｍ組の光ファイバテープの各マルチモード光ファイバあるいはプラスチック光ファイバにおけるコアの中心より伝送帯域が広がる程度ずれた位置を透過するよう、各光ファイバテープを配置し、伝送帯域を向上したことである。
【００３２】
このように構成されることにより、１つの光カプラと１つの共有グレーティングで分波分岐機能を実現できるため、光カプラの数を減らすことができ、安価に光分波分岐器を実現できる。また、共有グレーティングからのグレーティング光を直接光ファイバテープの各マルチモード光ファイバあるいはプラスチック光ファイバに入射するので、複雑な光配線が不要となり、設計が容易となる。更には、マルチモード光ファイバあるいはプラスチック光ファイバ内を伝送する光信号のモード間の強度を均一化し、モード間遅延の影響を抑制し、伝送帯域の向上を図ることができる。
【００３３】
図３は本発明の光通信システムの第１の実施の形態における光分波分岐器の具体的な構成、特に波長分離分配部の詳細構成を示すものである。図中、３５１は回折格子（共有グレーティング）、３５２は放物面鏡であり、これらとシングルモード光ファイバ３６−１〜３６−Ｍ及び光ファイバテープ４−１〜４−Ｍの配置によって波長分離分配部３５が構成される。
【００３４】
シングルモード光ファイバ２を介して光送信器から送信された波長λ1〜λNの光信号は、光カプラ３４によりＭ個に分岐され、シングルモード光ファイバ３６−１〜３６−Ｍに伝送される。シングルモード光ファイバ３６−１〜３６−Ｍを伝送する各々波長λ1〜λNの光信号は、波長分離分配部３５内に入射され、放物面鏡３５２で反射され、平行光になる。この平行光は回折格子３５１にて波長毎に分波された後、再び放物面鏡３５２にて反射され、今度は光ファイバテープ４−１〜４−Ｍのマルチモード光ファイバあるいはプラスチック光ファイバ４−１−１，４−１−２，…４−１−Ｎ〜４−Ｍ−１，４−Ｍ−２，…４−Ｍ−Ｎの一端に集光して入射される。これはいわゆるリトローマウンティングシステムを基本とした構成である。
【００３５】
ここで、シングルモード光ファイバ３６−１〜３６−Ｍは入射位置がそれぞれ異なるため、放物面鏡３５２で反射された光信号の回折格子３５１に対する入射角は異なる。また、回折格子３５１での回折角は波長毎に異なるので、光ファイバテープ４−１〜４−Ｍの各マルチモード光ファイバあるいはプラスチック光ファイバにはそれぞれ、シングルモード光ファイバ３６−１〜３６−Ｍからの波長λ1〜λN毎の光信号が伝送される。
【００３６】
即ち、マルチモード光ファイバあるいはプラスチック光ファイバ４−１−１には波長λ1の光信号が、マルチモード光ファイバあるいはプラスチック光ファイバ４−１−２には波長λ2の光信号が、…マルチモード光ファイバあるいはプラスチック光ファイバ４−１−Ｎには波長λNの光信号がそれぞれ伝送される。同様に、マルチモード光ファイバあるいはプラスチック光ファイバ４−Ｍ−１には波長λ1の光信号が、マルチモード光ファイバあるいはプラスチック光ファイバ４−Ｍ−２には波長λ2の光信号が、…マルチモード光ファイバあるいはプラスチック光ファイバ４−Ｍ−Ｎには波長λNの光信号がそれぞれ伝送される。
【００３７】
なお、本発明の光通信システムの第２の実施の形態における光分波分岐器の構成も基本的に同様であるが、回折格子３５１で波長分波され、放物面鏡３５２で反射された波長λ1〜λNの光信号に対する光ファイバテープ４−１〜４−Ｍの配置が、前述した如く光ファイバテープ４−１〜４−Ｍの各マルチモード光ファイバあるいはプラスチック光ファイバにおけるコアの中心より伝送帯域が広がる程度ずれた位置を透過するよう、調整される点が異なる。
【００３８】
図４は本発明の光通信システムの第１の実施の形態においてマルチモード光ファイバあるいはプラスチック光ファイバ内を伝送させる光信号の波長の説明図である。マルチモード光ファイバあるいはプラスチック光ファイバ４０は、コア４１とクラッド４２で構成される。コア４１の中心を通る波長をλcとすると、第１の実施の形態においては、マルチモード光ファイバあるいはプラスチック光ファイバ４０におけるコア４１の中心より伝送帯域が広がる程度ずれた位置で透過するような波長、即ちλc＋Δλcあるいはλc−Δλcの光信号を光送信器から伝送すれば良い。
【００３９】
図５は第１の実施の形態にかかる本発明の光通信システムを用いて行ったビット誤り率測定の実験システム及びその結果を示すものである。パルスパターンジェネレータ６１からは、９９５３２８０Ｋbit/s 、ＰＲＢＳ  ２31−１の信号を送信する。送信された信号は可変波長レーザ６２に入力され、可変波長レーザ６２からの光信号はＬＮ変調器６３にて変調され、シングルモード光ファイバ２、光分波分岐器３０及び光ファイバテープ４−１〜４−Ｍ中の１本のマルチモード光ファイバ、例えば４−１−１を介して光受信器５−１にて受信される。受信された光信号は電気信号に変換された後、クロックデータリカバリ６４を介し、エラーディテクタ６５にて受信される。
【００４０】
ここで、ＬＮ変調器６３の消光比は１３ｄＢとした。また、伝送波長としては、コアの中心を通る波長を１５５０．１１６ｎｍ、コアの中心より伝送帯域が広がる程度ずらした位置で透過するような波長を１５５０．９１８ｎｍとした。マルチモード光ファイバ４−１−１にはグレーテッドインデックス型のマルチモード光ファイバを用い、長さ２００ｍ、コア径５０μｍ、クラッド径１２５μｍ、コア屈折率１．４６３、クラッド屈折率１．４４７とした。
【００４１】
波長１５５０．９１８ｎｍの通過位置は、およそコア中心から１６μｍ離れた位置である。
【００４２】
ビット誤り率の測定結果より、コアの中心を通る波長１５５０．１１６ｎｍでは、受光レベルＰinが大きくなってもモード間遅延の影響でビット誤り率にフロアが発生しているが、コアの中心よりずれた位置で入射する波長１５５０．９１８ｎｍでは、受光レベルＰinが大きくなるにつれ、ビット誤り率が下がっている。
【００４３】
これより、コアの中心からずらすことにより、マルチモード光ファイバ内を伝送する光信号のモード間の強度を均一化し、モード間遅延の影響を抑制し、伝送帯域の向上を図ることができることがわかる。
【図面の簡単な説明】
【００４４】
【図１】本発明の光通信システムの第１の実施の形態を示す構成図
【図２】本発明の光通信システムの第２の実施の形態を示す構成図
【図３】本発明の光通信システムにおける光分波分岐器の詳細構成図
【図４】本発明の光通信システムにおいてマルチモード光ファイバあるいはプラスチック光ファイバ内を伝送させる光信号の波長の説明図
【図５】本発明の光通信システムを用いて行ったビット誤り率測定の実験システム及びその結果を示す説明図
【図６】従来の光通信システムの一例を示す構成図
【符号の説明】
【００４５】
１，１０：光送信器、２，３６−１〜３６−Ｍ：シングルモード光ファイバ、４−１〜４−Ｍ：光ファイバテープ、４−１−１，４−１−２，…４−１−Ｎ，４−２−１，４−２−２，…４−２−Ｎ，…４−Ｍ−１，４−Ｍ−２，…４−Ｍ−Ｎ：マルチモード光ファイバあるいはプラスチック光ファイバ、５−１〜５−Ｍ：光受信器、３０，３０ｂ：光分波分岐器、３４：光カプラ、３５，３５ｂ：波長分離分配部、４０：マルチモード光ファイバ、４１：コア、４２：クラッド、６１：パルスパターンジェネレータ、６２：可変波長レーザ、６３：ＬＮ変調器、６４：クロックデータリカバリ、６５：エラーディテクタ、３５１：回折格子、３５２：放物面鏡。
【図１】
2005328465.tif 000003
【図２】
2005328465.tif 000004
【図３】
2005328465.tif 000005
【図４】
2005328465.tif 000006
【図５】
2005328465.tif 000007
【図６】
2005328465.tif 000008